(57)【特許請求の範囲】
【請求項１】
流路切替弁を備えた本体部と、濾材を備えた濾過部と、本体部または濾過部に設けた水温検知手段とを備えた浄水器であって、本体部に設けた、濾過部を流れる水の流量検出部と濾過部識別部とを備え、検出した流量に基づく濾過部の寿命と識別した濾過部の種類と、検知した水温とを表示する表示手段を備えていることを特徴とする浄水器。
【請求項２】
表示手段が、検出した流量に基づく濾過部の寿命と識別した濾過部の種類とを、検知した水温と一定時間おきに交互に表示するものである請求項１に記載の浄水器。
【請求項３】
本体部は原水流入口を備え、その原水流入口に水温検知手段が設けられている、請求項１または２に記載の浄水器。
【請求項４】
水温検知手段がサーミスタを備えている、請求項１〜３のいずれかに記載の浄水器。
【請求項５】
表示手段が液晶画面を備えている、請求項１〜４のいずれかに記載の浄水器。
【発明の詳細な説明】
【０００１】
【発明の属する技術分野】
本発明は、濾材の性能を最大限に発揮し得る浄水器に関する。
【０００２】
【従来の技術】
従来、一般家庭の台所や洗面所に設ける浄水器としては、活性炭や中空糸膜などを備えたものが知られているが、たとえば活性炭は、通過する水温が高すぎると既に吸着したカルキ臭などを離してしまう。
【０００３】
そこで、水温が一定の温度に達すると水が通常と異なる経路を辿り濾過部に水が流れないように作動する形状記憶合金を設けた浄水器が開発されているが、形状記憶合金では反応速度が遅いため、作動水温以上の水を流しても実際に流路の切替が行われるまでには時間がかかる。そのため、その間に濾材に水が流れ、一旦吸着した後に離脱されたカルキ臭を含んだ水を提供することになってしまう。また、再度流路を切り換えるために作動水温以下の水を流しても、やはりしばらく時間が経過しないと通常の流路には切り替わらず、その間の水も無駄になる。
【０００４】
【発明が解決しようとする課題】
本発明は、上述のような問題点に鑑み、使用者が浄水器に流れる水の温度を知ることにより水温調節あるいは流路切替を行い、常に浄化度の高い浄水を供給することのできる浄水器を提供することを目的とするものである。
【０００５】
【課題を解決するための手段】
上記課題を解決するために本発明は、流路切替弁を備えた本体部と、濾材を備えた濾過部と、本体部または濾過部に設けた水温検知手段とを備えた浄水器であって、本体部に設けた、濾過部を流れる水の流量検出部と濾過部識別部とを備え、検出した流量に基づく濾過部の寿命と識別した濾過部の種類と、検知した水温とを表示する表示手段を備えている浄水器を特徴とするものである。
【０００６】
ここで、表示手段が、検出した流量に基づく濾過部の寿命と識別した濾過部の種類とを、検知した水温と一定時間おきに交互に表示するものであること、本体部は原水流入口を備え、その原水流入口に水温検知手段が設けられていること、水温検知手段がサーミスタを備えていること、表示手段が液晶画面を備えていることが好ましい。
【０００７】
【発明の実施の形態】
本発明の望ましい実施の形態を、図面を参照して説明する。
【０００８】
本発明の浄水器は、たとえば図１〜６に示すように、蛇口に直接取り付けられて支持固定されるるもので、内部に切換弁を内蔵した本体部２と、濾材を収納したろ過カ−トリッジ３などから構成されている。本体部２にはレバ−５が設けられ、レバ−５を操作することにより、蛇口４から原水流入口を通って流入した原水をそのままシャワ−水として吐出するか（原水シャワ−）、そのままストレ−ト水として吐出するか（原水ストレ−ト）、ろ過カ−トリッジ３に供給するか、を選択して切り換える。ろ過カ−トリッジ３に供給された原水は、活性炭などの吸着剤や中空糸膜等によってろ過され、浄水流出口から浄水として吐出される。
【０００９】
まず、本体部２について説明する。
【００１０】
本体部２は、図４、図５に示すように、切換弁を構成する３個のボ−ル１１ａ、１１ｂ、１１ｃと弁軸１２とを備えた切換弁本体１３、原水シャワ−口１４と、原水ストレ−ト口１５と、浄水流出口１９とを備えた下部ボディ１６、切換弁本体１３が上面に突出する開口部を備えた上部ボディ１７、切換操作を行う弁操作部１８、ろ過カ−トリッジ３を固定するカ−トリッジキャップ９１、供給水の温度を検知して表示する電装部などから構成されている。
【００１１】
切換弁本体１３には、リング状のパッキン３６が装着され、蛇口４のおねじ部にねじ込んだアダプタ３７を介して、取付ナット３８を切換弁本体１３に螺合させ、本体部２を蛇口４に取り付けるようになっている。
【００１２】
切換弁本体１３の内部は、３個の通水路２１ａ、２１ｂ、２１ｃを開設した区画板２２によって、上部室２３と下部室２４とに区画されている。
【００１３】
上部室２３には、３個のボ−ル１１ａ、１１ｂ、１１ｃが、３個の通水路２１ａ、２１ｂ、２１ｃに対応するように配置されている。ボ−ル１１ａが通水路２１ａにはまり通水路２１ａが閉じた状態で、ボ−ル１１ａの下部が下部室２４に突出するようになっている。ボ−ル１１ｂ、１１ｃについても同様である。
【００１４】
円筒状の下部室２４には、弁軸１２が回動可能に挿着され、かつ、弁軸１２の所定位置に配設したＯリング２５ａ、２５ｂ、２５ｃが、下部室２４の内壁面と水密的に係合している。これによって下部室２４は３つに区画され、通水路２１ａからろ過カ−トリッジ３に原水を供給する原水供給口２６（図６参照）へ通じる流路３１ａと、通水路２１ｂから原水ストレ−ト口１５へ通じる流路３１ｂと、通水路２１ｃから原水シャワ−口１４へ通じる流路３１ｃとを形成している。
【００１５】
また、図４に示したように、弁軸１２には、通水路２１ａ、２１ｂ、２１ｃに対向する位置に、カム部２７ａ、２７ｂ、２７ｃが設けられている。これらカム部２７ａ、２７ｂ、２７ｃは、弁軸１２の周方向に例えば６０゜ずつずらして設けられており、弁軸１２を６０゜ずつ回動することにより選択的に上方を向き、下部室２４に突出したボ−ルの下部を押し上げて通水路を開くことができるようになっている。すなわち、後述の弁操作部１８により弁軸１２を所定角度回動することで、通水路２１ａ、２１ｂ、２１ｃのいずれかを開放し、蛇口４から流入した原水をそのままシャワ−水として吐出するか、そのままストレ−ト水として吐出するか、ろ過カ−トリッジ３に供給するか、を選択できる。
【００１６】
ボ−ル１１ａ、１１ｂ、１１ｃには、芯体としての金属球にゴムを覆ったものを用いているが、弁体の形状は球体に限らず円錐形でも円筒形でもよく、傘形でもよい。そして、通水路を閉塞したときのシ−ル性を向上させるためは、上部室２３に設けたボ−ル１１ａ、１１ｂ、１１ｃをバネ等で上方から通水路方向に付勢してもよい。
【００１７】
図６、図１０に示すように、切換弁本体１３の側部後方には、ろ過カ−トリッジ３に原水を供給する原水供給口２６と、ろ過カ−トリッジ３から浄水を受け入れる浄水受入口２９とが設けられている。原水供給口２６は流路３１ａに連通しており、浄水受入口２９は浄水送水路３０を介して浄水流出口１９と連通している。浄水送水路３０には、後述する流量検出部１０２の水車１２２と水車支持部材１２３が設けられ、浄水の通水により水車１２２が回転するようになっている。
【００１８】
次に、ろ過カ−トリッジ３について簡単に説明する。
【００１９】
ろ過カ−トリッジ３は、図７の横断面図に示すように、容器６１の底部に、原水供給口２６から原水を受け入れる原水受入口６２と、浄水受入口２９に浄水を供給する浄水供給口６３が設けられている。原水受入口６２と浄水供給口６３には、それぞれＯリング７３、７４が設けられ、原水供給口２６と浄水受入口２９に接続した際に外部に水が漏れるのを防止している。
【００２０】
容器６１の内部底面には円筒状突起６１ａが形成されており、円筒状突起６１ａに、中空糸膜モジュールの円筒体６４の下端がＯリング６５を介して嵌入立設されている。そして、この円筒体６４の外周上下部には、円筒体６４外周面と容器６１の内壁面との間を通過する原水の処理を行う吸着剤層７０を保持するために、リング状のフィルタ６６、６７が固定されている。
【００２１】
円筒体６４の内部には、複数本の中空糸膜を束ねて逆Ｕ字状に折り曲げた中空糸膜束６８が収納されている。中空糸膜の両端部は、円筒体６４の下部にて各中空糸間および中空糸と円筒体６４との間に充填された硬化性樹脂６９（封止剤）により封止固定（ポッティング）されている。各中空糸膜は、容器６１へ嵌入する前にポッティング部が一部切断除去されているので、末端が浄水供給口６３に向かって開口している。
【００２２】
そして、円筒体６４の外周面と容器６１の内壁面との間には、活性炭、ゼオライト、イオン交換樹脂、キレ−ト樹脂などからなる吸着剤層７０が配備されている。
【００２３】
容器６１の上部は、中空糸膜束６８と吸着剤を容易に充填できるよう開口されており、内部の汚れを確認できるように透明キャップ７１が嵌入され、超音波溶着されている。
【００２４】
上記のように構成されたろ過カートリッジ３は、図６に示したように、本体部２内に装填され、カ−トリッジキャップ９１が、ろ過カ−トリッジ３に覆い被さる位置で下部ボディ１６と上部ボディ１７とにネジ締付固定され、ろ過カ−トリッジ３を所定位置に固定する役目を果たしている。カ−トリッジキャップ９１には、開閉キャップ９２が設けられており、開閉キャップ９２を開くと、カ−トリッジキャップの開口部９３およびろ過部の透明キャップ７１を通じて、中空糸膜の汚れ具合を確認できるようになっている。
【００２５】
続いて、図３、図６を用いて、弁軸１２を回動操作する弁操作部１８について説明する。
【００２６】
弁操作部１８は、図６に示すように、レバ−５と、切換弁本体１３に回動可能に支持され、レバ−５と同じ軸回りに回動する駆動軸４１と、一端が下部ボディ１６に固定され他端がレバ−５に固定されたねじりコイルバネ４４などから構成されている。レバー５は、図３に示すように矢印Ａ方向に押し下げると、操作ストッパ−４３に当接するまで反時計方向に（図６を右側面から見た場合）回動し、レバ−５が操作ストッパ−４３に当接した状態で操作をやめて指を離すと、ねじりコイルばね４４により時計方向に回動し、初期位置に戻るようになっている。
【００２７】
図８は、図５におけるＣ−Ｃ矢視概略断面図であって、レバ−５と駆動軸４１の接続部を示している。図８に示すように、駆動軸４１の一端に嵌入されたラチェット爪部材４７は、レバ−５のラチェット歯４８と噛み合ってラチェット機構を構成している。レバ−５を初期位置から反時計方向（図６を右側面から見た場合）に回動させるときには、駆動軸４１はレバ−５と一体となって反時計方向に４０°回動し、レバ−５が時計方向に回動して初期位置に戻るときには、駆動軸４１は回動しないようになっている。
【００２８】
図６と、図６におけるＤ−Ｄ矢視概略断面図である図９に示すように、駆動軸４１には平歯車４５が設けられ、弁軸１２に設けられた平歯車４６と噛み合っている。平歯車４５と４６のギヤ比は３：２であるので、平歯車４５が４０°回動すると平歯車４６は６０°回動する。すなわち、レバ−５を１回操作すると、駆動軸４１は４０°回動し、弁軸１２は６０°回動する。ここで、平歯車をはすば歯車ややまば歯車などにしても何ら問題はない。また、ギヤ比を３：２としたが、これに限らず２：１でも３：１でもよい。平歯車４５の歯数を平歯車４６の歯数より大きくすると、駆動軸４１の回動角度に対し弁軸１２の回動角度は大きくなる。すなわちレバ−５の操作角度を小さくしても、弁軸１２の回動角度を十分に大きくすることができる。以上のように、歯車を用いるとギヤ比を選択することで容易にレバ−操作角度を設定でき、しかも確実かつ正確に流路切換ができる。
【００２９】
そして、駆動軸４１には、図５に示すように、切換状態を示す「浄水」「ストレ−ト」「シャワ−」の文字が４０°毎に各３ヶ所印刷された表示リング５１が固定されている。表示リング５１に印刷された「浄水」「ストレ−ト」「シャワ−」いずれかの文字が、上部ボディ１７の開口部８１から見えるようになっていて、切換状態が容易に確認できる。なお、切換状態を示す表示は、文字、イラスト単独でも、また、それらの組合せでもよい。そして、開口部８１に透明部材８２を取り付けることで、食器洗いのときなどに水が本体部２の内部に入るのを防いだり、表示リング５１が汚れるのを防いだりしている。
【００３０】
次に、供給水の温度を検知して表示する電装部（電子回路）について説明する。
図２、図４、図６、図１０に示したように、電装部は、電源部１０１と、水温検出部２００と、制御部１０４と、液晶表示器１０５とを備えている。
【００３１】
電源部１０１は、図１１の分解斜視図に示すように、主に、本体部２に設けた電池ホルダ１１５と、コイン形二酸化マンガンリチウム電池１１１（以下、電池１１１）と、陽極金具１１３および陰極金具１１４と、電池を水密に固定する脱着自在な電池カバ−１１２などから構成される。
【００３２】
電池カバ−１１２は、筒状の電池装着部１１６を有するとともにその外周にＯリング１１７を有し、電池カバ−１１２がバヨネット機構により電池ホルダ１１５に装着したときに電池装着部１１６に水が浸入するのを防ぐようになっている。筒状の電池装着部１１６には切り欠き１１８が設けられているので、指を引っかけて容易に電池を取り外すことができる。また、電池カバ−１１２の表面には、硬貨を挿入して回すための凹部１１９が設けられ、その周囲に、電池の規格と開閉のための回転方向を示す文字やイラストが刻印されている。したがって、使用者は、電池の規格と電池カバ−１１２の回転方向を確認した上で、コインを使って電池カバ−１１２を電池ホルダ１１５から取り外し、電池を交換することができる。
【００３３】
電池ホルダ１１５内に設けられた陽極金具１１３および陰極金具１１４は、それぞれリ−ド線で図６に示す制御部１０４に結線されており、電池１１１による電力が制御部１０４に供給される。リ−ド線は、ゴムキャップ１２０を介して電池ホルダ１１５に固定されており、このゴムキャップ１２０が、水がリ−ド線をつたって陽極金具１１３、陰極金具１１４さらには電池装着部１１６内に浸入するのを防止している。
【００３４】
電池は、一次電池でも二次電池であってもよく、比較的高い電圧で、長期間安定して電力を供給できる二酸化マンガンリチウム電池などのリチウム電池のほか、アルカリ乾電池、マンガン乾電池、酸化銀電池、空気亜鉛電池などでもよい。また、形状は、軽量で大きな設置スペ−スを必要としないボタン形、コイン形などの小形電池が好ましい。小形電池の場合、本体部が著しく大型化したり著しく重量増加することはなく、また、大幅なコストアップにもならない。
【００３５】
水温検出部２００は、金属酸化物を焼結して得られたセラミック半導体と、このセラミック半導体と電源部１０１および制御部１０４とを導通する導線とを備えたサーミスタセンサを有し、このサーミスタセンサに流れる電流値を制御部１０４で温度に換算して液晶表示器１０５に表示する。
【００３６】
これら水温検出部２００や液晶表示器１０５などにより、浄水器に流れる水の温度を使用者が知ることができ、供給水の温度が濾材などの使用範囲を超えている場合には、流路切替や供給水の温度調整を適宜することができる。したがって、濾材から離脱したカルキの臭いを含んだ水を提供することを防ぐことができ、水を無駄にすることがなく、また、使用者が安心して浄水器を使用することが出来る。
【００３７】
また、水温検出部２００としてサーミスタセンサを用いれば、温度を測定することができるうえに、電流値から温度を換算することになるので処理水の水の温度を瞬時に測定、表示することができる。したがって、供給水の温度が濾材などの使用範囲を超えている場合に、使用者が温度を確認した直後に対応をとることができる。そして、供給水の温度を適温に修正すれば、直ぐに浄水を得ることができる。
【００３８】
さらに、水温検出部は、濾材への温水浸入を少しでも早く検知するために、図２、図４に示すように本体部の原水流入口に設けることが好ましい。
【００３９】
制御部１０４、図６、図１６に示すように、主に、ＣＰＵが設けられた回路基板１５１と、回路基板１５１を収納する透明の基板ホルダ１５２と、回路基板１５１を基板ホルダ１５２に支持固定する基板枠１５３とから構成されている。ＣＰＵは、電源部１０１から電力供給を受けて水温検出部２００に流れる電流値を計測して、その電流値から抵抗値を、その抵抗値から温度を算出し、その算出結果を液晶表示器１０５に表示するよう信号を送る。
【００４０】
液晶表示器１０５は、回路基板１５１に直接、支持固定された状態で、本体部２の前方上部に位置し、使用者が使用中に見やすいようになっている。算出結果は、使用者が一目で情報を読み取ることができるよう数字で示すことが好ましい。
【００４１】
この液晶表示器１０５は、回路基板から離れた位置に配置しリ−ド線等で結線することも可能だが、回路基板１５１に直接、支持固定したほうが信号を確実に伝達できる。また、外部から水が浸入して回路基板１５１が誤作動するのを防止するため、基板ホルダ１５２に、その開口部から回路基板１５１と液晶表示器１０５とを挿入し基板枠１５３で固定した状態で、開口部を硬化性樹脂１５５（封止材）で封止して防水加工をすることが好ましい。このように防水加工を施すことにより、各部品に対して個別に防水加工を施す必要がなく、製造工程の簡略化、製造コストの低減が可能になる。硬化性樹脂１５５としては、２液混合型のポリウレタン樹脂やエポキシ樹脂などを用いればよい。
【００４２】
また、電装部には、供給水の温度を検知して表示する手段の他に、温度流量検出部１０２やろ過カ−トリッジ識別部１０３を設け、濾過カートリッジの寿命や装着している濾過カートリッジの種類を温度表示と一定時間おき交互に液晶表示することが好ましい。
【００４３】
流量検出部１０２は、図１０および図１２〜図１４に示すように、主に、磁石１２１を埋設した水車１２２と、水車１２２を回転可能に支持する水車支持部材１２３と、磁石の回転に応じて開閉する磁気スイッチ１２４と、磁気スイッチ１２４を支持固定する磁気スイッチホルダ１２５とから構成されている。
【００４４】
水車１２２は、円柱形の軸部１３１に２枚の羽根１３２、１３３が形成されてなり、軸部１３１の一端には水車支持部材１２３の軸１２６が挿入される回転軸穴１３４が設けられ、他端には磁石１２１が埋設される磁石取付穴１３５が設けられている。
【００４５】
磁石１２１は、そのＮ極・Ｓ極を結ぶ直線と水車１２２の回転軸とが垂直になるように磁石取付穴１３５に挿入し、脱落を防止するとともに接水による発錆を防止するために、磁石取付穴１３５の開口部に栓部材を被せ接着したり溶着する。磁石１２１の脱落および発錆を防止するためには、磁石１２１を磁石取付穴１３５に挿入した後、磁石取付穴１３５の開口部を硬化性樹脂１３６（封止材）で封止することも好ましい。硬化性樹脂としては、より安全性の高いポリウレタン樹脂が好ましいが、エポキシ樹脂や、その他の封止材、接着剤を用いてもよい。磁石１２１の錆を防止するためには、磁石そのものをコ−ティングすることも好ましい。また、磁石１２１には、磁力が強い希土類磁石のほか、フェライト磁石などを使用してもよい。
【００４６】
水車１２２は、図１０に示すように、浄水送水路３０内で回転可能なように、水車支持部材１２３によって下流側から軸支されている。水車１２２は、その回転軸が浄水の送水方向に平行な軸流型であっても直交するものであってもよい。また、水車の羽根は２枚としているが、１枚でもよく、３枚以上でもよい。さらに、水車を、ろ過カ−トリッジ３の下流側の浄水送水路３０に設けたが、上流側に設けてもよい。この場合は、水車１２２にゴミ等が引っかからないよう、さらに上流側にプレフィルタを設けることが好ましい。
【００４７】
磁気スイッチ１２４は、図１４に示すように、磁気スイッチホルダ１２５に挿入され、硬化性樹脂１３７（封止材）により封止固定されている。磁気スイッチ１２４の２つの端子はリ−ド線により図１０に示す制御部１０４と結線されており、磁気スイッチ１２４の開閉によるパルス信号が制御部１０４に伝達される。磁気スイッチ１２４を収容した磁気スイッチホルダ１２５は、図６に示すように、浄水送水路３０の外周に接し、かつ、水車１２２の近傍に固定されている。
【００４８】
このように構成された流量検出部１０２は、浄水が流れることにより水車１２２が回転し、水車１２２に埋設された磁石１２１が回転し、それに応じて磁界が変化する。磁石１２１が１回転することにより磁気スイッチ１２４は２回開閉して、その結果、２周期分のパルス信号が発信され、制御部１０４に伝達される。制御部１０４のＣＰＵは、流量検出部１０２からのパルス信号に基づいて処理した流量を積算し、液晶表示器１０５に濾過カートリッジの寿命などを示す出力信号を送る。
【００４９】
なお、回路基板１５１には、リセットボタン１５４を設け、外部からの操作でリセットボタン１５４を押して積算流量のデ−タ等をリセットできるようすることが好ましい。そして、リセットボタン１５４の上方には、回路基板１５１への水の浸入を防ぐスイッチゴム１５６を配置し、そのスイッチゴム１５６によって、リセットボタンを間接的に操作することがより好ましい。
【００５０】
【発明の効果】
以上のように、本発明の請求項１に係る浄水器は、流路切替弁を備えた本体部と、濾材を備えた濾過部と、本体部または濾過部に設けた水温検知手段と、検知した水温の表示手段とを備えているので、使用者が浄水器に流れる水の温度を使知ることができ、供給する水の温度に応じて流路切替もしくは供給する水の温度調整をすることができる。したがって、濾材から離脱したカルキの臭いを含んだ水を提供することを防ぐことができ、浄化度の高い水を提供することができる。また、水を無駄にすることがなく、さらには、使用者が安心して浄水器を使用することが出来る。
【００５１】
また、請求項２に係る発明によれば、水温検知手段が本体部の原水流入口に設けられているので、供給水の温度が濾材などの使用範囲を超えている場合に、吸着したカルキ臭の脱離現象防止や本体内部部材保護のための対応をいち早く迅速にとることができる。
【００５２】
さらに、請求項３に係る発明によれば、水温検知手段がサーミスタであるので、電流値から温度を換算することになり処理水の水の温度を瞬時に測定、表示することができる。したがって、供給水の温度が濾材などの使用範囲を超えている場合には、使用者が温度を確認した後直ぐに対応することができる。
【００５３】
さらにまた、請求項４に係る発明によれば、表示手段が液晶画面を備えているので、使用者は検知した水温を容易に把握することができる。
【図面の簡単な説明】
【図１】本発明の一実施態様を示す浄水器の正面図である。
【図２】図１に示す浄水器の上面図である。
【図３】図１に示す浄水器の右側面図である。
【図４】図２に示す浄水器のＡ−Ａ縦断面図である。
【図５】図２に示す浄水器のＢ−Ｂ縦断面図である。
【図６】図１に示す浄水器の横断面図である。
【図７】ろ過カ−トリッジの横断面図である。
【図８】図５に示す浄水器におけるレバ−と駆動軸との接続部のＣ−Ｃ矢視断面図である。
【図９】図６に示す浄水器のＤ−Ｄ矢視断面図である。
【図１０】図４に示す浄水器のＥ−Ｅ矢視断面図である。
【図１１】電源部の分解斜視図である。
【図１２】流量計測部の分解斜視図である。
【図１３】図１２における水車と水車支持部材の断面図である。
【図１４】図１２における磁気スイッチと磁気スイッチホルダの断面図である。
【図１５】ろ過カ−トリッジ識別部の縦断面図である。
【図１６】図６に示す浄水器における制御部のＦ−Ｆ矢視断面図である。
【符号の説明】
１  ：  浄水器                 ２  ：  本体部
３  ：  ろ過カ−トリッジ       ４  ：  蛇口
５  ：  レバ−               １１ａ：  ボール
１１ｂ：  ボール               １１ｃ：  ボール
１２  ：  弁軸                 １３  ：  切換弁本体
１４  ：  原水シャワー口       １５  ：  原水ストレート口
１６  ：  下部ボディ           １７  ：  上部ボディ
１８  ：  弁操作部             １９  ：  浄水流出口
２１ａ：  通水路               ２１ｂ：  通水路
２１ｃ：  通水路               ２２  ：  区画板
２３  ：  上部室               ２４  ：  下部室
２５ａ：  ｏリング             ２５ｂ：  ｏリング
２５ｃ：  ｏリング             ２６  ：  原水供給口
２７ａ：  カム部               ２７ｂ：  カム部
２７ｃ：  カム部               ２８  ：  原水流入口
２９  ：  浄水受入口           ３０  ：  浄水送水路
３１ａ：  流路                 ３１ｂ：  流路
３１ｃ：  流路                 ３６  ：  パッキン
３７  ：  アダプタ             ３８  ：  取付ナット
３９  ：  水流緩和部材         ４１  ：  駆動軸
４３  ：  操作ストッパー       ４４  ：  ねじりコイルばね
４５  ：  平歯車               ４６  ：  平歯車
４７  ：  ラチェット爪部材     ４８  ：  ラチェット歯
５１  ：  表示リング           ６１  ：  容器
６１ａ：  円筒状突起           ６２  ：  原水受入口
６３  ：  浄水供給口           ６４  ：  円筒体
６５  ：  ｏリング             ６６  ：  フィルタ
６７  ：  フィルタ             ６８  ：  中空糸膜束
６９  ：  硬化性樹脂           ７０  ：  吸着剤層
７１  ：  透明キャップ         ７２  ：  突起
７３  ：  ｏリング             ７４  ：  ｏリング
８１  ：  開口部               ８２  ：  透明部材
９１  ：  カ−トリッジキャップ ９２  ：  開閉キャップ
９３  ：  開口部               １０１：  電源部
１０２：  流量検出部           １０３：  ろ過カ−トリッジ識別部
１０４：  制御部               １０５：  液晶表示器
１１１：  電池                 １１２：  電池カバ−
１１３：  陽極金具             １１４：  陰極金具
１１５：  電池ホルダ           １１６：  電池装着部
１１７：  ｏリング             １１８：  切り欠き
１１９：  凹部                 １２０：  ゴムキャップ
１２１：  磁石                 １２２：  水車
１２３：  水車支持部材         １２４：  磁気スイッチ
１２５：  磁気スイッチホルダ   １２６：  軸
１３１：  軸部                 １３２：  羽根
１３３：  羽根                 １３４：  回転軸穴
１３５：  磁石取付穴           １３６：  硬化性樹脂
１３７：  硬化性樹脂           １４１：  識別基板
１４２：  導電部材             １４３：  ゴムスイッチ
１４４：  識別部ハウジング     １４５：  スイッチ操作穴
１５１：  回路基板             １５２：  基板ホルダ
１５３：  基板枠               １５４：  リセットボタン
１５５：  硬化性樹脂           １５６：  スイッチゴム
【図１】
0004910236.tif 000002
【図２】
0004910236.tif 000003
【図３】
0004910236.tif 000004
【図４】
0004910236.tif 000005
【図５】
0004910236.tif 000006
【図６】
0004910236.tif 000007
【図７】
0004910236.tif 000008
【図８】
0004910236.tif 000009
【図９】
0004910236.tif 000010
【図１０】
0004910236.tif 000011
【図１１】
0004910236.tif 000012
【図１２】
0004910236.tif 000013
【図１３】
0004910236.tif 000014
【図１４】
0004910236.tif 000015
【図１５】
0004910236.tif 000016
【図１６】
0004910236.tif 000017